(57)【特許請求の範囲】
【請求項１】
車両（１０）用の温度調節システムであって、
前記車両（１０）のエンジン（１０６）に接続されるように構成された駆動システム（１００）であって、前記車両（１０）の少なくとも１つのトラクションモータ（１０２、１０４）による使用のために、前記エンジン（１０６）によって生成される動力を電力に変換するように構成された駆動システム（１００）と、
前記エンジン（１０６）および前記駆動システム（１００）を制御するための制御ユニット（１２４）であって、検出基準温度に応じて車両構成要素の温度を自動的に調節するように構成された制御ユニット（１２４）と、
を備え、
前記車両構成要素が、前記車両（１０）の前記駆動システム（１００）の１つ以上の電力変換器（１１２、１１４）の複数の電力半導体スイッチ（１１６、１１８、１２０、１２２）を備え、前記１つ以上の電力変換器（１１２、１１４）が、前記車両（１０）の前記少なくとも１つのトラクションモータ（１０２、１０４）による使用のために前記電力
を供給するように電気的に接続されており、
前記制御ユニット（１２４）が、前記検出基準温度が所定の値を下回ったことに応じて、前記少なくとも１つのトラクションモータ（１０２、１０４）に前記車両（１０）を移動させない仕方で前記電力半導体スイッチ（１１６、１１８、１２０、１２２）を作動させることによって前記電力半導体スイッチ（１１６、１１８、１２０、１２２）の温度を自動的に上昇させるように調節するように構成され、前記電力半導体スイッチの温度を好ましい動作範囲内に保持する、
温度調節システム。
【請求項２】
前記制御ユニット（１２４）が、前記検出基準温度が所定の値を下回ったときに付加的な負荷を前記エンジン（１０６）に加えるように前記駆動システム（１００）を自動的に制御するよう構成されおり、前記付加的な負荷が、前記エンジン（１０６）のアイドリングレベルを上回る、前記エンジン（１０６）への負荷である、請求項１に記載の温度調節システム。
【請求項３】
前記エンジン（１０６）に関連付けられ、かつ前記制御ユニット（１２４）に電気的に接続された温度センサ（１２６）であって、前記検出基準温度を検知するように構成された温度センサ（１２６）
をさらに備える、請求項２に記載の温度調節システム。
【請求項４】
前記制御ユニット（１２４）が、前記エンジン（１０６）の温度が指定レベルを上回るように前記付加的な負荷を加えながらも必要以上の燃料の燃焼を回避するために、前記付加的な負荷を前記エンジン（１０６）に加えながらエンジンパラメータを監視するように構成されている、
請求項２または３に記載の温度調節システム。
【請求項５】
前記少なくとも１つの電力変換器（１１２、１１４）が、前記車両（１０）の前記少なくとも１つのトラクションモータ（１０２、１０４）による使用のために前記電力を供給するように構成されており、前記電力が、ＡＣシーケンスでの前記電力半導体スイッチ（１１６、１１８、１２０、１２２）の作動によって生成されるＡＣ電力を含み、
前記制御ユニット（１２４）が、前記電力変換器（１１２、１１４）が前記少なくとも１つのトラクションモータ（１０２、１０４）に前記電力を供給するために使用されていないときに、前記複数の電力半導体スイッチ（１１６、１１８、１２０、１２２）をＤＣシーケンスで自動的に作動させるようにして前記電力半導体スイッチ（１１６、１１８、１２０、１２２）の温度を調節するために構成されている、
請求項１乃至４のいずれかに記載の温度調節システム。
【請求項６】
前記電力半導体スイッチ（１１６、１１８、１２０、１２２）が、絶縁ゲートバイポーラトランジスタである、請求項５に記載の温度調節システム。
【請求項７】
前記制御ユニット（１２４）が、前記検出基準温度が所定の値を下回ったときに付加的な負荷を前記エンジン（１０６）に加えるように前記駆動システム（１００）を自動的に制御するよう構成されおり、前記付加的な負荷が、前記エンジン（１０６）のアイドリングレベルを上回る、前記エンジン（１０６）への負荷であり、
前記車両が、前記車両（１０）の前記少なくとも１つのトラクションモータ（１０２、１０４）による使用のために前記電力を供給するように構成されている前記電力変換器（１１２、１１４）を備え、前記電力が、ＡＣシーケンスでの前記電力半導体スイッチ（１１６、１１８、１２０、１２２）の作動によって生成されるＡＣ電力を含み、
前記制御ユニット（１２４）が、前記電力変換器（１１２、１１４）が前記少なくとも１つのトラクションモータ（１０２、１０４）に前記電力を供給するために使用されていないときに、前記複数の電力半導体スイッチ（１１６、１１８、１２０、１２２）をＤＣシーケンスで自動的に作動させるようにして前記電力半導体スイッチ（１１６、１１８、１２０、１２２）の温度を調節するために構成されている、
請求項１乃至６のいずれかに記載の温度調節システム。
【請求項８】
車両（１０）の温度調節のための方法であって、
前記車両（１０）のエンジン（１０６）に関連する基準温度を測定するステップと、
前記車両（１０）の制御ユニット（１２４）によって基準温度と前記エンジン（１０６）の所定の最低動作温度とを比較するステップと、
前記基準温度が前記最低動作温度を下回った場合に、前記制御ユニット（１２４）によって、前記エンジン（１０６）のアイドリングレベルを上回る付加的な負荷を前記エンジン（１０６）に自動的に加えるステップと、
前記電力変換器（１１２、１１４）が前記車両（１０）のトラクションモータ（１０２、１０４）に電力を供給するために使用されていないときに、前記車両（１０）の電力変換器（１１２、１１４）の絶縁ゲートバイポーラトランジスタをＤＣシーケンスで作動させることによって前記絶縁ゲートバイポーラトランジスタの温度を上昇させるように調節するステップと、
を含み、
前記絶縁ゲートバイポーラトランジスタの温度を調節する前記ステップが、前記基準温度と異なる検知温度が所定の値を下回ったときに実行される、
方法。
【請求項９】
前記基準温度が、前記エンジン（１０６）の外側の周囲温度である、請求項８に記載の方法。
【請求項１０】
前記基準温度が、前記エンジン（１０６）内の温度である、請求項８または９に記載の方法。
【請求項１１】
前記エンジン（１０６）の温度が指定レベルを上回るように前記付加的な負荷を加えながらも必要以上の燃料の燃焼を回避するために、前記付加的な負荷を前記エンジン（１０６）に加えながらエンジンパラメータを監視するステップ
をさらに含む、請求項８乃至１０のいずれかに記載の方法。
【請求項１２】
発電装置の温度を調節するための方法であって、
前記装置の駆動システム構成要素に関連する基準温度を測定するステップと、
前記装置の制御ユニット（１２４）によって前記基準温度と前記駆動システム構成要素に関連する所定の最低動作温度とを比較するステップと、
前記基準温度が前記最低動作温度を下回った場合に、前記制御ユニット（１２４）によって、前記構成要素の動作温度を上昇させるように前記駆動システム構成要素を自動的に動作させるステップと、
を含み、
前記駆動システム構成要素が、前記装置の１つ以上の電力変換器（１１２、１１４）の複数の電力半導体スイッチ（１１６、１１８、１２０、１２２）を備え、前記１つ以上の電力変換器（１１２、１１４）が、負荷を駆動するように電気的に接続されており、
前記駆動システム構成要素を動作させる前記ステップが、前記負荷を駆動することなく前記電力半導体スイッチ（１１６、１１８、１２０、１２２）を発熱させる仕方で前記電力半導体スイッチ（１１６、１１８、１２０、１２２）を作動させることを含む、
方法。
【請求項１３】
前記基準温度が、前記エンジン（１０６）の外側の周囲温度である、請求項１２に記載の方法。
【請求項１４】
前記電力半導体スイッチ（１１６、１１８、１２０、１２２）が、前記電力半導体スイッチ（１１６、１１８、１２０、１２２）を所定の温度閾値より上に維持するのに十分な程度まで作動される、請求項１２または１３に記載の方法。
【請求項１５】
前記装置が、車両（１０）であり、前記負荷が、前記車両（１０）の１つ以上のトラクションモータ（１０２、１０４）を備え、
前記駆動システム構成要素を動作させる前記ステップが、前記１つ以上のトラクションモータ（１０２、１０４）に前記車両（１０）を移動させない仕方で前記電力半導体スイッチ（１１６、１１８、１２０、１２２）を作動させることを含む、
請求項１２乃至１４のいずれかに記載の方法。
【請求項１６】
前記駆動システム構成要素が、複数の絶縁ゲートバイポーラトランジスタであり、
前記駆動システム構成要素を動作させる前記ステップが、前記基準温度が前記最低動作温度を下回った場合に前記絶縁ゲートバイポーラトランジスタをＤＣシーケンスで作動させることを含む、
請求項１２乃至１５のいずれかに記載の方法。
【請求項１７】
前記絶縁ゲートバイポーラトランジスタが、前記絶縁ゲートバイポーラトランジスタを所定の温度閾値より上に維持するのに十分な程度まで作動される、請求項１６に記載の方法。
【発明の詳細な説明】
【技術分野】
【０００１】
本発明の実施形態は、一般に温度調節システムに関する。他の実施形態は、車両のエンジンおよび駆動システムのための温度調節システムに関する。
【背景技術】
【０００２】
大型のオフハイウェイ車両（「ＯＨＶ：ｏｆｆ−ｈｉｇｈｗａｙ  ｖｅｈｉｃｌｅ」）（露天鉱床から掘り出される重い積み荷を運搬するために使用される採鉱車両など）は、よく知られており、一般的に、エネルギー効率の良い方法で車両を推進または減速させるために電動車輪を採用している。この効率は、一般的に、オルタネータ、主トラクションインバータ、および車両の後輪内に収容される１対の車輪駆動アセンブリと共に大馬力のディーゼルエンジンを採用することによって達成される。ディーゼルエンジンは、ディーゼルエンジンがオルタネータを駆動するようにオルタネータに直接関連付けられる。オルタネータは、主トラクションインバータに電力を供給し、主トラクションインバータは、制御された電圧および周波数を有する電力を２つの車輪駆動アセンブリの電気駆動モータに供給する。車輪駆動アセンブリのそれぞれは、遊星ギヤトランスミッションを収容しており、遊星ギヤトランスミッションは、関連する駆動モータの回転エネルギーを、後輪に供給される高トルクで低速度の回転エネルギーの出力に変換する。
【０００３】
ＯＨＶの一般的な運用時の積み荷は、百トンを超える場合があり、一方、車両および積み荷の総重量は、数百トンになる場合がある。重い積み荷を運搬する他に、ＯＨＶは、温度が−３０℃〜−６０℃程度の低温になる場合がある厳しい気候条件を有する遠隔地でしばしば運用される。このような超低温下において、ＯＨＶが、駐車されるか、またはアイドリング状態にあるとき、エンジンは、その動作温度を、十分な性能に必要な範囲内に維持するのに十分な熱をそれ自体では生成し得ない。加えて、駆動システム構成要素は、このような超低温において損傷を受け得るか、または性能の低下を示し得る。
【０００４】
したがって、超低温の条件下でＯＨＶおよび他の採掘装置のエンジンおよび／または駆動システム構成要素の温度を調節するためのシステムおよび方法を提供することが望ましくあり得る。
【先行技術文献】
【特許文献】
【０００５】
【特許文献１】韓国特許出願公開第１０−２０１３−００８７０７２号公報
【発明の概要】
【０００６】
本発明の実施形態は、車両用の温度調節システムに関する。システムは、車両のエンジンに接続されるように構成される駆動システムを含む。駆動システムは、車両の少なくとも１つのトラクションモータによる使用のために、エンジンによって生成される動力を電力に変換するように構成される。システムは、エンジンおよび駆動システムを制御するための制御ユニットをさらに含む。制御ユニットは、検出基準温度に応じて車両構成要素の温度を自動的に調節するように構成される。
【０００７】
車両用の温度調節システムの別の実施形態において、システムは、車両のエンジンに接続されるように構成される駆動システムを備える。駆動システムは、車両の少なくとも１つのトラクションモータによる使用のために、エンジンによって生成される動力を電力に変換するために、１つ以上の電力半導体スイッチを有する１つ以上の電力変換器を含む。システムは、エンジンおよび駆動システムを制御するための制御ユニットをさらに備える。実施形態において、制御ユニットは、少なくとも１つのトラクションモータに車両を移動させない仕方で電力半導体スイッチを作動させることによって電力半導体スイッチの温度を自動的に調節するように構成される。
【０００８】
別の実施形態において、車両の温度調節のための方法は、車両のエンジンに関連する基準温度を測定するステップと、車両の制御ユニットによって基準温度とエンジンの所定の最低動作温度とを比較するステップと、基準温度が最低動作温度を下回った場合に、制御ユニットによって、エンジンのアイドリングレベルを上回る付加的な負荷をエンジンに自動的に加えるステップとを含む。
【０００９】
別の実施形態において、車両または他の発電装置の温度を調節するための方法であって、車両または他の装置の駆動システム構成要素に関連する基準温度を測定するステップと、車両または他の装置の制御ユニットによって基準温度と駆動システム構成要素に関連する所定の最低動作温度とを比較するステップと、基準温度が最低動作温度を下回った場合に、制御ユニットによって、構成要素の動作温度を上昇させるように駆動システム構成要素を自動的に動作させるステップとを含む。
【００１０】
本発明は、以下のような添付図面を参照して非限定的な実施形態に関する以下の説明を検討することによってより良く理解される。
【図面の簡単な説明】
【００１１】
【図１】本発明の実施形態に係る運搬トラックの斜視図である。
【図２】図１の運搬トラックの電力／牽引システムの概略図である。
【図３】本発明の実施形態に係る、車両のエンジンの温度を調節するための方法を示すフローチャートである。
【図４】本発明の実施形態に係る、車両の駆動システムの温度を調節するための方法を示すフローチャートである。
【発明を実施するための形態】
【００１２】
以下では、本発明の例示的な実施形態を詳細に参照する。その例は、添付図面に示されている。可能な限り、図面を通して使用される同じ参照符号により、同じまたは同様の部分が示されている。本発明の例示的な実施形態は、露天採掘産業に利用される、ディーゼルエンジンを有する運搬トラックに関して説明されているが、本発明の実施形態は、一般に内燃エンジンおよびこのようなエンジンを採用する車両を伴う使用にも適用可能である。例えば、車両は、特定の産業（鉱業、建設業、農業など）に関連する作業を実行するために設計されたオフハイウェイ車両（「ＯＨＶ」）であってもよく、運搬トラック、クレーン、土木機械（ｅａｒｔｈ  ｍｏｖｉｎｇ  ｍａｃｈｉｎｅ）、掘削機械、耕作機械、トラクタ、荷役機械、土工機械（ｅａｒｔｈ  ｍｏｖｉｎｇ  ｅｑｕｉｐｍｅｎｔ）などを含んでもよい。あるいはまたはさらに、車両は、オンロード車両（トレーラトラック（ｔｒａｃｔｏｒ−ｔｒａｉｌｅｒ  ｒｉｇ）、オンロードダンプトラックなど）であってもよい。本明細書で使用される場合、「電気通信」または「電気的に接続される」は、特定の構成要素が、直接的または間接的な電気的接続を用いて直接的または間接的なシグナリングにより互いに通信するように構成されることを意味する。本明細書で使用される場合、「基準温度」は、車両のエンジンまたは駆動システム構成要素が受ける温度を意味する。「基準温度」は、周囲温度、エンジン内の温度、または駆動システム構成要素の１つの温度であってもよい。
【００１３】
図１は、運搬トラック１０を示しており、運搬トラック１０には、本発明の温度調節システムが組み込まれ得る。運搬トラック１０は、特に高生産の鉱業および高負荷の建設業の環境での使用のために設計されたダンプトラックであり、運搬トラック１０に動力を供給するディーゼル−電力／駆動システム１００に接続された駆動輪１２を含む。（実施形態では、本発明のシステムおよび／または方法は、具体的に運搬トラックにおいて実施されているが、運搬トラック１０は、車両一般の実例である）。
【００１４】
図２を参照すると、電力／駆動システム１００が示されている。上に示したように、運搬トラックは、少なくとも２つの駆動輪１２を有する。駆動輪１２のそれぞれは、三相交流（ＡＣ）誘導型車輪モータによって駆動される。車輪モータは、第１の車輪モータ１０２および第２の車輪モータ１０４と呼ばれる。電力は、ディーゼルエンジン１０６が三相ＡＣ発電機１０８を駆動することによって供給される。他の実施形態では、他の種類の機械／燃料エンジンが利用されてもよい。ディーゼルエンジン１０６および発電機１０８は、運搬トラック１０内に収容される。発電機１０８のＡＣ出力は、電圧Ｖｄｃを供給する１つ以上の整流器１１０（例えば、三相ダイオードアレイ）に供給される。整流器１１０の直流（ＤＣ）出力は、１組の電力変換器１１２、１１４に供給される。電力変換器は、１つ以上の電力半導体スイッチを備えるスイッチモジュール１１６、１１８、１２０、１２２を含み、スイッチモジュール１１６、１１８、１２０、１２２は一緒に、Ｖｄｃを整流して三相ＡＣ電力をトラクションモータ１０２、１０４に供給する。（トラクションモータは、車両を移動させる際の使用のために構成された電気モータである。）
本発明は、電力変換器１１２、１１４を形成するためにスイッチモジュール１１６、１１８、１２０、１２２などの特定の配置によって限定されないことが理解されよう。それどころか、本発明は、他の実施形態（図示せず）（例えば、電力変換に使用される単一のスイッチモジュールまたはスイッチモジュールのアレイを含む）にも等しく適用可能である。
【００１５】
図２は、電力半導体スイッチが絶縁ゲートバイポーラトランジスタ（ＩＧＢＴ）である例示的な実施形態を具体的に示しているが、本発明は、他の電圧制御されるまたは他の半導体素子（非限定的な例としてバイモード絶縁ゲートトランジスタ、逆導通ＩＧＢＴ、ＭＯＳＦＥＴ、およびＪＦＥＴを含む）にも適用可能であり得る。
【００１６】
さらに図２を参照すると、制御ユニット１２４が、電力変換器１１２、１１４（およびこれらのスイッチモジュール１１６、１１８、１２０、１２２）に電気的に接続されている。当該技術分野では知られているように、制御ユニット１２４は、所望のトルク要求信号を求めてインバータ１１２、１１４に送信する。トルク要求信号は、インバータ１１２、１１４が、車両の移動の意図した方向に対応する所望の回転方向に所望のトルク出力規模でモータ１０２、１０４を駆動するようにコントローラによって処理される。制御ユニット１２４は、以下に詳細に述べられるように車両の制御および車両構成要素の自動温度調節を実現する組の記憶された命令に従って動作する１つ以上のマイクロプロセッサを含む。
【００１７】
上述したように、超低温の期間中に、車両１０が、駐車されているか、またはアイドリング状態にあるとき、エンジン１０６は、その動作温度を好ましい範囲内に維持するのに十分な熱をそれ自体では生成することができない（高アイドリングのときであっても）場合がある。結果として、エンジン損傷、低速応答、および燃料燃焼効率の低下の可能性がある。加えて、超低温の期間中に、駆動システム１００の構成要素（ＩＧＢＴスイッチモジュール１１６、１１８、１２０、１２２など）は、約−４０℃下回る温度によって損傷し得る。
【００１８】
したがって、上記に関連して、制御ユニット１２４は、基準温度（例えば、エンジン温度（エンジン１０６内またはこれの近傍に配置されるセンサ１２６を利用して）、周囲温度（周囲温度センサ（図示せず）を利用して）、および電力変換器温度（電力変換器１１２、１１４の近傍またはこれらの内に結合されるように構成されるセンサ１２８を利用して）の１つ以上）を監視するように構成される。実施形態において、温度センサは、制御ユニット１２４に電気的に接続され、所定の時間間隔で制御ユニットに、検出温度を表す信号を自動的に中継するように構成される。他の実施形態において、温度センサは、連続的に、検出温度を表す信号を中継するように構成される。さらに他の実施形態において、制御ユニット１２４は、無線で温度センサと通信してもよい。
【００１９】
実施形態において、エンジン１０６の動作温度を所定の最適な範囲内に維持するために、制御ユニット１２４は、検出温度の１つ以上が所定の低い値に達したときに付加的な負荷をエンジン１０６に加えるために駆動システム１００を自動的に利用するように構成される。実施形態において、付加的な負荷は、エンジンのアイドリングレベルを上回る、エンジンへの負荷である。容易に理解されるように、付加的な負荷をエンジン１０６に加えることによって、その動作温度は、所定の値より上に高められ、自動的に維持されてもよい。これに関連して、制御ユニット１２４は、エンジン１０６に負荷を加えながらエンジンパラメータを監視するために駆動システム１００を利用する。これにより、オペレータは、ループから外され、燃料燃焼が最適化される。
【００２０】
また、制御ユニット１２４は、駆動システム構成要素、詳細には、ＩＧＢＴまたは他の電力半導体スイッチ１１６、１１８、１２０、１２２の動作温度を好ましい範囲内に維持するように構成される。詳細には、検出温度の１つ以上が、所定のより低い閾値に達したときに、制御ユニット１２４は、ＡＣトラクションモータ１０２、１０４を回転させないＤＣシーケンス（ＤＣ  ｓｅｑｕｅｎｃｅ）でＩＧＢＴ１１６、１１８、１２０、１２２を作動させることによってＩＧＢＴ１１６、１１８、１２０、１２２を暖かい状態に保つように構成される。駆動システムのパラメータ（例えば、電力変換器１１２、１１４の検知温度）に応じてＤＣシーケンスでＩＧＢＴを作動させることを自動化することによって、駆動システム構成要素は、オペレータの入力または行動を必要とすることなく好ましい動作範囲内に維持され得る。
【００２１】
次に図３を参照すると、車両の温度を調節する方法２００が提供されている。方法２００は、ステップ２０２において、車両１０のエンジン１０６が受ける温度を測定することを含む。温度は、周囲空気の温度またはエンジン１０６内の温度であってもよい。ステップ２０４として、制御ユニット１２４は、検出温度／検知温度が所定の最低温度を下回っているか否かを確認する。温度が下回っていない場合、ステップ２０６において、エンジン温度の調節に関して何もアクションはとられない。検出温度が、メモリに記憶された許容可能な最低温度値を下回っている場合、ステップ２０８において、付加的な負荷が、エンジンを好ましい動作範囲内に暖めるためにエンジンに加えられる。
【００２２】
図４を参照すると、同様に、車両（例えば、その駆動システム１００）または発電装置の温度を調節する方法３００が提供されている。方法３００は、ステップ３０２において、車両の駆動システム構成要素の１つまたは他の装置が受ける温度を測定することを含む。温度は、先に開示したように周囲空気の温度、電力変換器１１２、１１４の１つの近傍の温度、および／またはエンジン１０６の温度であってもよい。ステップ３０４において、制御ユニット１２４は、検出温度／検知温度が所定の最低温度を下回っているか否かを確認する。温度が下回っていない場合、ステップ３０６において、駆動システム１００の温度の調節に関して何もアクションはとられない。検出温度が、メモリに記憶された許容可能な最低温度値を下回っている場合、ステップ３０８において、制御ユニット１２４は、駆動システム（例えば、ＩＧＢＴを含む）を好ましい動作範囲内に暖めるために電力半導体スイッチ（例えば、ＤＣシーケンスで作動するようにＩＧＢＴ１１６、１１８、１２０、１２２）を制御する。
【００２３】
したがって、容易に理解されるように、本発明の車両温度調節システムは、燃料燃焼を最適化するのと同時に非作動期間にエンジンをその最適な動作温度に自動的に維持する。加えて、温度調節システムは、超低温でのエンジンおよび駆動システム構成要素への損傷を回避する。既存のシステムとは対照的に、本発明の温度調節システムは、エンジンおよび駆動システムの温度を所定のより低い閾値より上に自動的に維持するように構成され、この結果、オペレータ入力の必要性がなくなる。結果として、温度調節システムは、静的状態および動的状態の両方において動作され得る。
【００２４】
実施形態は、システム（例えば、車両用の温度調節システム）に関する。システムは、車両のエンジンに接続されるように構成される駆動システムを備える。駆動システムは、車両の少なくとも１つのトラクションモータによる使用のために、エンジンによって生成される動力を電力に変換するように構成される。システムは、エンジンおよび駆動システムを制御するための制御ユニットをさらに備える。制御ユニットは、検出基準温度に応じて車両構成要素の温度を自動的に調節するように構成される。
【００２５】
別の実施形態は、システム（例えば、車両用の温度調節システム）に関する。システムは、車両のエンジンに接続されるように構成される駆動システムを備える。駆動システムは、車両の少なくとも１つのトラクションモータによる使用のために、エンジンによって生成される動力を電力に変換するように構成される。システムは、エンジンおよび駆動システムを制御するための制御ユニットをさらに備える。制御ユニットは、検出基準温度に応じてエンジンの温度を自動的に調節するように構成される。そうするために、制御ユニットは、検出基準温度が所定の値を下回ったときに付加的な負荷をエンジンに加えるように駆動システムを自動的に制御するよう構成される。付加的な負荷は、エンジンのアイドリングレベルを上回る、エンジンへの負荷である。システムは、エンジンに関連付けられ、かつ制御ユニットに電気的に接続される温度センサをさらに備えてもよい。温度センサは、検出基準温度を検知するように構成される。
【００２６】
別の実施形態は、システム（例えば、車両用の温度調節システム）に関する。システムは、車両のエンジンに接続されるように構成される駆動システムを備える。駆動システムは、車両の少なくとも１つのトラクションモータによる使用のために、エンジンによって生成される動力を電力に変換するように構成される。システムは、エンジンおよび駆動システムを制御するための制御ユニットをさらに備える。制御ユニットは、検出基準温度に応じてエンジンの温度を自動的に調節するように構成される。そうするために、制御ユニットは、検出基準温度が所定の値を下回ったときに付加的な負荷をエンジンに加えるように駆動システムを自動的に制御するよう構成される。付加的な負荷は、エンジンのアイドリングレベルを上回る、エンジンへの負荷である。制御ユニットは、エンジンの温度が指定レベルを上回るように付加的な負荷を加えながらも必要以上の燃料の燃焼を回避するために、付加的な負荷をエンジンに加えながらエンジンパラメータを監視するようにさらに構成される。
【００２７】
別の実施形態は、システム（例えば、車両用の温度調節システム）に関する。システムは、車両のエンジンに接続されるように構成される駆動システムを備える。駆動システムは、車両の少なくとも１つのトラクションモータによる使用のために、エンジンによって生成される動力を電力に変換するために、１つ以上の電力半導体スイッチ（例えば、ダイオード、ＦＥＴ、ＩＧＢＴ、ＢＪＴ、他のトランジスタの）を有する１つ以上の電力変換器を含む。システムは、エンジンおよび駆動システムを制御するための制御ユニットをさらに備える。実施形態において、制御ユニットは、少なくとも１つのトラクションモータに車両を移動させない仕方で電力半導体スイッチを作動させることによって電力半導体スイッチの温度を自動的に調節するように構成される。（例えば、特定のＡＣ波形またはＡＣシーケンスが、車両を移動させるためにトラクションモータに電力供給するために必要な場合、電力半導体スイッチは、ＤＣ波形を生成するように作動されてもよい（すなわち、ＤＣシーケンスで作動されてもよい）し、あるいは特定のＡＣ波形とは異なるＡＣ波形（例えば、モータに車両慣性を克服させる、過度に低い大きさの電圧および／または電流のＡＣ波形）を生成するように作動されてもよい。別の実施形態において、制御ユニットは、検出基準温度（例えば、周囲温度または車両内の温度）が所定の値を下回ったことに応じて、電力半導体スイッチの温度を自動的に調節する（少なくとも１つのトラクションモータに車両を移動させない仕方で電力半導体スイッチを作動させることによって）ように構成される。
【００２８】
実施形態は、システム（例えば、車両用の温度調節システム）に関する。システムは、車両のエンジンに接続されるように構成される駆動システムを備える。駆動システムは、車両の少なくとも１つのトラクションモータによる使用のために、エンジンによって生成される動力を電力に変換するように構成される。システムは、エンジンおよび駆動システムを制御するための制御ユニットをさらに備える。制御ユニットは、検出基準温度に応じて車両構成要素の温度を自動的に調節するように構成される。車両構成要素は、車両の駆動システムの少なくとも１つの電力変換器の複数の電力半導体スイッチを備える。少なくとも１つの電力変換器は、車両の少なくとも１つのトラクションモータによる使用のために電力を供給するように構成される。電力は、ＡＣシーケンスでの電力半導体スイッチの作動によって生成されるＡＣ電力を含む。制御ユニットは、電力変換器が少なくとも１つのトラクションモータに電力を供給するために使用されていないときに、複数の電力半導体スイッチをＤＣシーケンスで自動的に作動させるようにして電力半導体スイッチの温度を調節するために構成される。一例として、電力半導体スイッチは、絶縁ゲートバイポーラトランジスタであってもよい。
【００２９】
実施形態は、システム（例えば、車両用の温度調節システム）に関する。システムは、車両のエンジンに接続されるように構成される駆動システムを備える。駆動システムは、車両の少なくとも１つのトラクションモータによる使用のために、エンジンによって生成される動力を電力に変換するように構成される。システムは、エンジンおよび駆動システムを制御するための制御ユニットをさらに備える。制御ユニットは、検出基準温度に応じて車両構成要素の温度を自動的に調節するように構成される。制御ユニットは、検出基準温度が所定の値を下回ったときに付加的な負荷をエンジンに加えるように駆動システムを自動的に制御するよう構成される。付加的な負荷は、エンジンのアイドリングレベルを上回る、エンジンへの負荷である。車両構成要素は、車両の駆動システムの少なくとも１つの電力変換器の複数の電力半導体スイッチを備える。電力変換器は、車両の少なくとも１つのトラクションモータによる使用のために電力を供給するように構成される。電力は、ＡＣシーケンスでの電力半導体スイッチの作動によって生成されるＡＣ電力を含む。制御ユニットは、電力変換器が少なくとも１つのトラクションモータに電力を供給するために使用されていないときに、複数の電力半導体スイッチをＤＣシーケンスで自動的に作動させるようにして電力半導体スイッチの温度を調節するために構成される。
【００３０】
実施形態は、採鉱運搬トラックに関する。採鉱運搬トラックは、エンジンと、エンジンに接続される駆動システムと、制御ユニットと、少なくとも１つのトラクションモータとを備える。駆動システムは、車両の少なくとも１つのトラクションモータによる使用のために、エンジンによって生成される動力を電力に変換するように構成される。制御ユニットは、検出基準温度に応じてエンジンおよび駆動システムを制御し、車両構成要素の温度を自動的に調節するように構成される。（採鉱運搬トラックは、本明細書に述べられている他の態様としてさらに構成されてもよい。）
別の実施形態において、車両の温度調節のための方法は、車両のエンジンに関連する基準温度を測定するステップと、車両の制御ユニットによって基準温度とエンジンの所定の最低動作温度とを比較するステップと、基準温度が最低動作温度を下回った場合に（すなわち、基準温度が最低動作温度を下回ったことに応じて）、制御ユニットによって、エンジンのアイドリングレベルを上回る付加的な負荷をエンジンに自動的に加えるステップとを含む。基準温度は、周囲温度またはエンジン内の温度であってもよい。
【００３１】
本方法の別の実施形態において、本方法は、エンジンの温度が指定レベルを上回るように付加的な負荷を加えながらも必要以上の燃料の燃焼を回避するために、付加的な負荷をエンジンに加えながらエンジンパラメータを監視するステップをさらに含む。
【００３２】
本方法の別の実施形態において、本方法は、電力変換器が車両のトラクションモータに電力を供給するために使用されていないときに、絶縁ゲートバイポーラトランジスタをＤＣシーケンスで作動させることによって車両の電力変換器の絶縁ゲートバイポーラトランジスタの温度を調節するステップをさらに含む。
【００３３】
本方法の別の実施形態において、絶縁ゲートバイポーラトランジスタの温度を調節するステップは、基準温度と異なる検知温度が所定の値を下回ったときに実行される。
【００３４】
別の実施形態は、発電装置用の温度調節システムに関する。（発電装置は、負荷に電力供給する目的で電気を生成するために燃料を使用する装置を意味する。例は、機関車、採鉱運搬トラック、および他のディーゼル電気車両（および他の燃料電気および／またはハイブリッド車両）、ならびに定置発電機などを含む。）システムは、装置のエンジンに接続されるように構成される駆動システムを備える。駆動システムは、負荷による使用のために、エンジンによって生成される動力を電力に変換するように構成される。システムは、エンジンおよび駆動システムを制御するための制御ユニットをさらに備える。制御ユニットは、駆動システムの構成要素に関連する基準温度を測定し、駆動システム構成要素に関連する所定の最低動作温度と基準温度とを比較し、および基準温度が最低動作温度を下回った場合に、構成要素の動作温度を上昇させるように駆動システム構成要素を自動的に動作させるよう構成される。基準温度は、周囲温度または装置内の温度であってもよい。所定の最低動作温度は、構成要素自体の所定の最低動作温度または構成要素が動作する環境の所定の最低動作温度であってもよい。
【００３５】
実施形態において、発電装置の駆動システム構成要素は、装置の１つ以上の電力変換器の複数の電力半導体スイッチを含む。１つ以上の電力変換器は、負荷を駆動するように電気的に接続される。駆動システム構成要素を動作させるステップは、負荷を駆動することなく電力半導体スイッチを発熱させる仕方で電力半導体スイッチを作動させることを含む。例えば、制御ユニットは、電力半導体スイッチをより低い温度閾値より上に維持するのに十分な程度まで電力半導体スイッチを作動させるように構成されてもよい。より低い温度閾値は、所定の最低動作温度または別の温度であってもよい。例えば、所定の最低動作温度が、電力半導体スイッチの環境のものである場合、電力半導体スイッチは、所定の最低動作温度とは異なる（例えば、所定の最低動作温度よりも高い）より低い温度閾値より上に電力半導体スイッチを維持するために作動されてもよい。
【００３６】
別の実施形態において、発電装置の温度を調節するための方法であって、装置の駆動システム構成要素に関連する基準温度を測定するステップと、装置の制御ユニットによって基準温度と駆動システム構成要素に関連する所定の最低動作温度とを比較するステップと、基準温度が最低動作温度を下回った場合に、制御ユニットによって、構成要素の動作温度を上昇させるように駆動システム構成要素を自動的に動作させるステップとを含む。基準温度は、周囲温度または装置内の温度であってもよい。所定の最低動作温度は、構成要素自体の所定の最低動作温度または構成要素が動作する環境の所定の最低動作温度であってもよい。
【００３７】
実施形態において、発電装置の駆動システム構成要素は、装置の１つ以上の電力変換器の複数の電力半導体スイッチを含む。１つ以上の電力変換器は、負荷を駆動するように電気的に接続される。駆動システム構成要素を動作させるステップは、負荷を駆動することなく電力半導体スイッチを発熱させる仕方で電力半導体スイッチを作動させることを含む。例えば、電力半導体スイッチは、電力半導体スイッチをより低い温度閾値より上に維持するのに十分な程度まで作動されてもよい。より低い温度閾値は、所定の最低動作温度または別の温度であってもよい。例えば、所定の最低動作温度が、電力半導体スイッチの環境のものである場合、電力半導体スイッチは、所定の最低動作温度とは異なる（例えば、所定の最低動作温度よりも高い）より低い温度閾値より上に電力半導体スイッチを維持するために作動されてもよい。
【００３８】
別の実施形態は、車両の温度を調節するための方法に関する。本方法は、車両の駆動システム構成要素に関連する基準温度を測定するステップと、車両の制御ユニットによって基準温度と駆動システム構成要素の所定の最低動作温度とを比較するステップと、基準温度が最低動作温度を下回った場合に（すなわち、基準温度が最低動作温度を下回ったことに応じて）、制御ユニットによって、構成要素の動作温度を上昇させるように駆動システム構成要素を自動的に動作させるステップとを含む。基準温度は、例えば周囲温度であってもよい。
【００３９】
本方法の別の実施形態において、駆動システム構成要素は、車両の１つ以上の電力変換器の複数の電力半導体スイッチを含む。１つ以上の電力変換器は、車両の１つ以上のトラクションモータを駆動するように電気的に接続される。駆動システム構成要素を動作させるステップは、１つ以上のトラクションモータに車両を移動させない仕方で電力半導体スイッチを作動させることを含む。
【００４０】
本方法の別の実施形態において、駆動システム構成要素は、複数の絶縁ゲートバイポーラトランジスタである。駆動システム構成要素を動作させるステップは、基準温度が最低動作温度を下回った場合に絶縁ゲートバイポーラトランジスタをＤＣシーケンスで作動させることを含む。絶縁ゲートバイポーラトランジスタは、絶縁ゲートバイポーラトランジスタをより低い温度閾値より上に維持するのに十分な程度まで作動されてもよい。
【００４１】
上記の説明は例証であることが意図されており、限定的なものではないことが理解されるべきである。例えば、上述した実施形態（および／またはその態様）は、互いに組み合わせて使用されてもよい。加えて、多くの修正が、本発明の範囲から逸脱することなく、特定の状況または材料を本発明の教示に適合させるために行われてもよい。本明細書に説明されている材料の寸法および種類は、本発明のパラメータを規定するためのものであるが、これらは、限定的なものでは決してなく、例示的な実施形態である。多くの他の実施形態は、上記の説明を精査することによって当業者に明らかとなる。本明細書で使用される場合、用語「を含む（ｉｎｃｌｕｄｉｎｇ）」および「その場合に（ｉｎ  ｗｈｉｃｈ）」は、用語「を備える（ｃｏｍｐｒｉｓｉｎｇ）」および「その場合に（ｗｈｅｒｅｉｎ）」のそれぞれの平易な英語の同義語として使用されている。さらに、用語「第１の」、「第２の」、「第３の」、「上方」、「下方」、「底部」、および「上部」などは、標識として使用されているに過ぎず、その対象に数的要件または位置的要件を課すためのものではない。
【００４２】
この記載された説明では、最良の態様を含めて本発明のいくつかの実施形態を開示するために、さらには、当業者が任意の装置またはシステムの作製および使用ならびに任意の組み込み方法の実行を含めて本発明の実施形態を実施することを可能にするために、例が使用されている。本明細書で使用される場合、単数形で記載される、語「一つの（ａ）」または「一つの（ａｎ）」の後に続く要素またはステップは、前記要素またはステップの複数形を排除していないものとして理解されるべきである（ただし、このような排除が明示的に述べられている場合を除く）。さらに、本発明の「一実施形態」への言及は、記載されている特徴を同様に含むさらなる実施形態の存在を排除するものとして解釈されることを意図するものではない。さらに、別段の明示的な規定がない限り、特定の特性を有する要素または複数の要素を「備える（ｃｏｍｐｒｉｓｉｎｇ）」、「含む（ｉｎｃｌｕｄｉｎｇ）」、または「有する（ｈａｖｉｎｇ）」実施形態は、その特性を有さないさらなるそのような要素を含んでもよい。
【００４３】
本明細書に含まれる本発明の精神および範囲から逸脱することなく、車両温度調節システムに関して、特定の変更が行われてもよいことから、上記の説明の、または添付図面に示されている主題のすべては、本明細書では本発明の概念を示す例としてのみ解釈されるべきであり、本発明を限定するものとして解釈されるべきではないことが意図されている。
【符号の説明】
【００４４】
１０  車両、運搬トラック
１２  駆動輪
１００  駆動システム
１０２  第１の車輪モータ
１０４  第２の車輪モータ
１０６  エンジン
１０８  発電機
１１０  整流器
１１２、１１４  電力変換器、インバータ
１１６、１１８、１２０、１２２  スイッチモジュール、電力半導体スイッチ
１２４  制御ユニット
１２６、１２８  センサ
0006397497.tif 000002
【図１】
0006397497.tif 000003
【図２】
0006397497.tif 000004
【図３】
0006397497.tif 000005
【図４】
0006397497.tif 000006